(57)【要約】      （修正有） 【課題】箸を収納する箱体内側の汚れが堆積し易い長手方向両端の短辺内側深部隅の底面の一部または底面全体を切り欠くことで、洗浄をし易く工夫された箸箱を提供する。【解決手段】箸を出し入れするための開口を有する上方開口長方体状の箱体１６と、箱体の開口部１４または開口部及び外周面を覆う蓋体からなる箸箱１０において、箱体の底面の一部または底面全体に切り欠きを設けたことを特徴とし、さらに、箱体の底面の一部又は底面全体の切り欠きを閉塞する閉塞面を有する蓋体を備えることにより、外部からの埃等の侵入を防ぐ構造とした。【選択図】図２
0003186870.tif 000002
【実用新案登録請求の範囲】
【請求項１】
箸を出し入れするための開口を有する上方開口長方体状の箱体と、該箱体の開口部または開口部及び外周面を覆う蓋体からなる箸箱において、箱体の長手方向両端の短辺内側深部隅を含む底面の一部または底面全体に切り欠きを設けたことを特徴とする箸箱。
【請求項２】
箱体の底面の一部または底面全体の切り欠きを閉塞する閉塞面を有する蓋体を備えることにより外部からの埃等の侵入を防ぐ構造としたことを特徴とする請求項１記載の箸箱。
【考案の詳細な説明】
【技術分野】
【０００１】
この考案は、洗浄が容易な箸箱に関するものである。
【背景技術】
【０００２】
従来の箸箱としては、箸を出し入れするための開口を有する上方開口長方体状の箱体と、該箱体本体の開口部または開口部及び外周面を覆う蓋体からなる箸箱において、箸箱の洗浄を容易としたものが種々存在する。(特許文献１及び２参照)
【先行技術文献】
【特許文献】
【０００３】
【特許文献１】特許第４０５４２４１号(第３図)
【０００４】
【特許文献２】実用新案登録第３１７９３７５号(第２図)
【０００５】
たとえば、特許文献１に記載された発明は、箸を取り出し易くするための箸を持ち上げる機構を不要としたことで洗浄の手間を軽減したもので、特許文献２に記載された考案は、蓋体と箱体は簡単に取り外す事ができるため、使用後別々に洗浄することができることで、清潔に保つことのできる衛生的な箸箱である。
【考案の概要】
【考案が解決しようとする課題】
【０００６】
特許文献１及び２に記載された発明、考案は、箱体と蓋体とを分離洗浄を可能とすることで、簡単に洗浄できるようにしたものであるが、箱体の長手方向両端の短辺内側深部隅が洗浄しにくいために、汚れが堆積しやすいことに対する課題は解決されていない。    
【０００７】
本考案は、以上のような従来の欠点に鑑み、箱体内側の汚れが堆積しやすい長手方向両端の短辺内側深部隅の洗浄が容易な箸箱を提供することを目的としている。
【課題を解決するための手段】
【０００８】
上記課題を解決するため本考案の構成を、箸を出し入れするための開口を有する上方開口長方体状の箱体と、該箱体の開口部または開口部及び外周面を覆う蓋体からなる箸箱において、箱体の長手方向両端の短辺内側深部隅を含む底面の一部または底面全体に切り欠きを設けたことを特徴とする箸箱とした。
【０００９】
また更に箱体の底面の一部または底面全体の切り欠きを閉塞する下面蓋体を備えることにより、外部からの埃等の侵入を防ぐ構造としたことを特徴とする箸箱とした。
【考案の効果】
【００１０】
以上の説明から明らかなように、本考案にあっては次の効果が得られる。
【００１１】
箱体１６の長手方向両端の短辺内側深部隅Ｈを含む底面の一部または底面全体を切り欠くことで短辺内側深部隅Ｈへの汚れの堆積することを排除することができる。ゆえに、箱体底面の洗浄を容易にすることができる。
【００１２】
そして、底面としての下面蓋体２０を備えることで、前記箱体１６の底面開口１５を閉塞できるようにし、箱体内部への埃の侵入を防ぐことができる。
【００１３】
構成が簡素であり、箱体１６と上面蓋体１８，下面蓋体２０とを完全に分離することができるので、洗浄の手間を軽減できる。
【図面の簡単な説明】
【００１４】
【図１】本考案を実施するための最良の第１の形態の斜視図で開口部及び外周面を覆うスライド式の蓋体を使用した実施例１である。
【図２】この考案の実施例１を示す分解斜視図である。
【図３】実施例１の箸箱の外観を示す図である。
【図４】実施例１の蓋体を示す図である。
【図５】実施例１の箱体を示す図である。
【図６】実施例１での箱体の底面の一部の切り欠き形状を示した切り欠き形状例１である。
【図７】実施例１での箱体の底面の一部の切り欠き形状を示した切り欠き形状例２である。
【図８】実施例１での箱体の底面の一部の切り欠き形状を示した切り欠き形状例３である。
【図９】実施例１での箱体の底面全体の切り欠き形状を示した切り欠き例４である。
【図１０】実施例１の箸の取り出し方法を示す説明図である。
【図１１】実施例１の箸の取り出し方法を示す説明図である。
【図１２】実施例１の箸の取り出し方法を示す説明図である。
【図１３】本考案の実施例２として、開口部１４を覆うスライド式の蓋体を使用した分解斜視図である。
【考案を実施するための形態】
【００１５】
以下、本考案の実施の形態を図に基づいて説明する。
【実施例１】
【００１６】
図１は、本考案の実施例１の斜視図である。 
【００１７】
図２は、本考案の実施例１で箱体１６と上面蓋体１８、下面蓋体２０を準備し、組立前の斜視図である。
この考案が適用された箸箱１０は、箱体１６の汚れが堆積しやすい上方開口長方体状の箱体底面の長手方向両端の短辺内側深部隅Ｈの洗浄が容易なように工夫されたものであり、箸１２を出し入れするための開口部１４を有する箱体１６と、開口部１４を閉塞する上面蓋体１８と底面開口部１５を閉塞する下面蓋体２０とによって構成される。そして、この箸箱１０においては、図２に示すように、スライド式の上面蓋体１８を使用した実施例で、開口部１４に対して平行方向にスライドさせることにより箱体１６の開口部１４が開閉され、同様にスライド式の下面蓋体２０を使用した実施例で、底面開口部１５に対して平行方向にスライドさせることにより、箱体１６の底面開口部１５が閉塞される。
【００１８】
図３は、本考案の実施例１の箸箱の背面図、右側面図、正面図、平面図、底面図である。
【００１９】
図４は、本考案の実施例１の上面蓋体１８，下面蓋体２０の背面図、右側面図、正面図、平面図、底面図である。
【００２０】
図４に示すように、上面蓋体１８は箱体１６の開口部１４を閉塞する蓋板３６ａと、蓋板３６ａの幅方向両端部から開口部に対して垂直に延びる２つの側板ａ３８と、蓋板３６ａの長手方向一方端部から開口部に対して垂直に延びる側板ｂ４０とによって構成される。
【００２１】
下面蓋体２０も前記同様に、図４に示すように、箱体１６の開口部１４を閉塞する蓋板３６ｂと、蓋板３６ｂの幅方向両端部から開口部に対して垂直に延びる２つの側板ａ３８と、蓋板３６ｂの長手方向一方端部から開口部１４に対して垂直に延びる側板ｂ４０とによって構成される。
【００２２】
ただし、蓋板３６ｂの長手方向他方端部においては、箱体１６を押し込むための挿入口Ｅ（図２，図４）とし、側板４０は形成されない。
【００２３】
各側板ａ３８には、条溝４２が形成される。
【００２４】
図５は、本考案の実施例１の箱体１６の背面図、右側面図、正面図、平面図、底面図である。
【００２５】
図５に示すように、箱体１６は箸１２を収容する収容空間３５を有し、底面は、底面の一部に貫通した切り欠きを設けた底面切り欠き部５２と底面５０とで構成される。
【００２６】
また、箱体１６の側壁外面には突条２８ａ及び２８ｂが箱体１６のスライド方向へ延びて形成される。
【００２７】
箸箱１０を組み立てる際には、図２に示すように、箱体１６および上面蓋体１８，下面蓋体２０が準備され、下面蓋体２０に対して、箱体１６が挿入口Ｆから押し込まれ、箱体１６の突条２８ａおよび２８ｂが蓋体２０ｂの条溝４２に勘合され、箱体１６とその底面としての下面蓋体２０が合体される。箱体１６の開口部１４に箸１２を挿入させることにより、箸１２を箱体１６に収容する。その後、箱体１６の突条２８ａ及び２８ｂが上面蓋体１８の条溝４２に勘合させ、開口部１４を閉塞する。
【００２８】
図６は、本考案の箱体１６の長手方向両端の短辺内側深部隅Ｈの一部を半円形状に切り欠いた底面切欠き部５２を具備する切り欠き形状例１である。
【００２９】
図７は、本考案の箱体１６の長手方向両端の短辺内側深部隅Ｈの底面の一部を円形状に切り欠いた底面切欠き部５２を具備する切り欠き形状例２である。
【００３０】
図８は、本考案の箱体１６の長手方向両端の短辺内側深部隅Ｈの底面の一部を弓形状に切り欠いた底面切欠き部５２を具備する切り欠き形状例３である。
【００３１】
図９は、本考案の箱体１６の底面全体を切り欠いた底面切欠き部５２を具備する切り欠き形状例４である
【００３２】
図１０は、本考案の図６に示した切り欠き形状例１、図７に示した切り欠き形状例２、図８に示した切り欠き形状例３についての箸１２の取り出し方法について説明したものである。尚、下記右手、左手についての記述は、右利きの人を前提としているものであって、左利きの人に関しては、その逆手と解釈するものとする。
【００３３】
箸箱１０に収容された箸１２を取り出す際に、左手親指と中指で下面蓋体２０を保持しながら、上面蓋体１８を右手親指と中指で保持しながら、手前にスライドさせることにより、上面蓋体１８を開き、箱体１６を天地反対方向に回転させることにより、箸箱１０から箸１２を取り出す。
【００３４】
図１１は、箱体１６の底面全体を切り欠いた切り欠き形状例４において、箸１２の取り出し方法を説明したもので、１対の蓋体１８、２０を設けたことで、左手の親指と中指で上面蓋体１８を保持して、右手の親指と中指で、下面蓋体２０を手前にスライドさせることによって、左手の平の上に箸１２を落下させることにより、箸を取り出すこともできる。
【００３５】
図１２は、箱体の底面全体を切り欠いた図９に示した切り欠き形状例４において、箸１２の取り出し方法の他の例を説明したもので、机上に箸箱１０を置いて左手の親指と中指で、上面蓋体１８を保持しながら、下面蓋体２０を右手の親指と中指で掴みながら手前方向にスライドさせることで、箸箱１０の中に入っている箸１２を机上に落下させ、取り出すことができ、小さいこどもでも、容易に取り出すことができる。
【００３６】
図１３は、本考案の実施例２として、開口部を覆うスライド式の蓋体を使用した分解斜視図である。
【００３７】
箱体１６と上面蓋体１８、下面蓋体２０を準備し、組立前の斜視図である。
図２に示した実施例１と同様に、箸箱１０は、箱体１６の汚れが堆積しやすい上方開口長方体状の箱体の長手方向両端の短辺内側深部隅Ｈの洗浄が容易なように工夫されたものであり、箸１２を出し入れするための開口部１４を有する箱体１６と、開口部１４を閉塞する閉塞面を有する上面蓋体１８と底面開口部１５を閉塞する閉塞面を有する下面蓋体２０とによって構成される。そして、この箸箱１０においては、図１３に示すように、スライド式の上面蓋体１８を使用した実施例で、閉塞部１４に対して平行方向にスライドさせることにより箱体１６の開口部１４が開閉され、同様に、箱体本体の底面を閉塞するために、スライド式の下面蓋体２０を使用した実施例で、底面開口部１５に対して平行方向にスライドさせることにより、箱体１６の底面開口部１５が開閉される。
【００３８】
上面蓋体１８は、図に示すように、箱体１６の開口部１４を閉塞する蓋板３６ａと、蓋板３６ａの幅方向両端部には、突条２８ａが形成されている。
【００３９】
下面蓋体２０は、図に示すように、箱体１６の開口部１５を閉塞する蓋板３６ｂと、蓋板３６ｂの幅方向両端部には、突条２８ｂが形成されている。
【００４０】
また、箱体１６の内壁の上面および下面付近には、それぞれ条溝４２が箱体１６のスライド方向へ延びて形成される。なお、箱体１６の下面側に設けられる条溝４２については図示を省略する。
【００４１】
箸箱１０を組み立てる際には、図１３に示すように、下面蓋体２０が箱体１６の挿入口Ｆから押し込まれ、箱体１６の条溝４２とにスライド勘合され、下面蓋体２０が開口部１５を閉塞する。箱体１６の開口部１４に箸１２を挿入させることにより、箸１２を箱体１６に収容する。その後、箱体１６の挿入口Ｅから上面蓋体１８が押し込まれ、箱体１６の条溝４２とにスライド勘合され、上面蓋体１８が開口部１４を閉塞する。
【産業上の利用可能性】
【００４２】
本考案は箸箱を製造する産業で利用される。
【符号の説明】
【００４３】
１０・・・  箸箱
１２・・・  箸
１４・・・  開口部
１５・・・  底面開口部
１６・・・  箱体
１８・・・  上面蓋体  
２０・・・  下面蓋体
２８ａ・・・突条ａ
２８ｂ・・・突条ｂ
３５・・・  箸を収容する収容空間
３６ａ・・・  蓋板ａ
３６ｂ・・・  蓋板ｂ
３８・・・  側板ａ
４０・・・  側板ｂ
４２・・・  条溝
５０・・・  箱体底面
５２・・・  底面切り欠き部
【図１】
0003186870.tif 000003
【図２】
0003186870.tif 000004
【図３】
0003186870.tif 000005
【図４】
0003186870.tif 000006
【図５】
0003186870.tif 000007
【図６】
0003186870.tif 000008
【図７】
0003186870.tif 000009
【図８】
0003186870.tif 000010
【図９】
0003186870.tif 000011
【図１０】
0003186870.tif 000012
【図１１】
0003186870.tif 000013
【図１２】
0003186870.tif 000014
【図１３】
0003186870.tif 000015
【手続補正書】
【提出日】平成25年7月30日(2013.7.30)
【手続補正１】
【補正対象書類名】図面
【補正対象項目名】図５
【補正方法】変更
【補正の内容】
【図５】
0003186870.tif 000016
【手続補正２】
【補正対象書類名】図面
【補正対象項目名】図６
【補正方法】変更
【補正の内容】
【図６】
0003186870.tif 000017